(57)【要約】【課題】外部からの温度変化に対して影響を受けにくく、結露を生じさせることなく十分な加温及び加湿がなされた呼吸用ガスを安定して患者に供給することが可能な呼吸用ガスの加温加湿器を提供する。【解決手段】呼吸用ガスの加温加湿器１００のインターフェース接続ホース５は、加温加湿後の呼吸用ガスをチャンバ３から患者インターフェース８に送る吸気ホース２１と、吸気ホース２１の周囲を囲った状態に設けられ保温用空気を通過させることで吸気ホース２１内の呼吸用ガスを保温する保温流路３１とを有し、保温流路３１は吸気ホース２１に接して設けられる内側流路３２と、その外側に設けられる外側流路３３とを有し、内側流路３２と外側流路３３とは保温流路３１の一端部において連通して設けられ、保温流路３１の他端部には内側流路３２に保温用空気を導入する導入口３４と、外側流路３３から保温用空気を導出する導出口３５とが設けられる。【選択図】      図７
2014210048.tif 000002
【特許請求の範囲】
【請求項１】
水を溜めたチャンバ内に呼吸用ガスを流通させて加温加湿する呼吸用ガスの加温加湿器であって、前記チャンバと患者に装着される患者インターフェースとの間を接続するインターフェース接続ホースを備え、前記インターフェース接続ホースは、加温加湿後の前記呼吸用ガスを前記チャンバから前記患者インターフェースに送る吸気ホースと、前記吸気ホースの周囲を囲った状態に設けられヒータで加熱された保温用空気を通過させることで前記吸気ホース内の呼吸用ガスを保温する保温流路とを有し、前記保温流路は、前記吸気ホースに接して設けられる内側流路と、前記内側流路の外側に設けられる外側流路とを有し、前記内側流路と前記外側流路とは、前記保温流路の一端部において連通して設けられ、前記保温流路の他端部には、前記内側流路に前記保温用空気を導入する導入口と、前記外側流路から前記保温用空気を導出する導出口とが設けられることを特徴とする呼吸用ガスの加温加湿器。
【請求項２】
前記導入口及び前記導出口は、前記インターフェース接続ホースの前記チャンバ側に設けられることを特徴とする請求項１記載の呼吸用ガスの加温加湿器。
【請求項３】
前記ヒータにより前記保温用空気を加熱するヒータユニットと、前記保温用空気を前記保温流路と前記ヒータユニットとの間で循環させるコンプレッサとを備えることを特徴とする請求項１又は２に記載の呼吸用ガスの加温加湿器。
【請求項４】
前記ヒータユニットから前記保温流路に前記保温用空気を供給する供給ホースと、前記保温流路から前記コンプレッサを介して前記ヒータユニットに前記保温用空気を供給する循環ホースと、前記供給ホース及び前記循環ホースが接続され前記保温流路の他端部に着脱可能に設けられるアタッチメントとを備えることを特徴とする請求項３記載の呼吸用ガスの加温加湿器。
【請求項５】
前記導入口と前記導出口とは、前記保温流路の側面に互いに平行に立設されるとともに、前記導入口又は前記導出口には、前記アタッチメントとの着脱方向を制限する誤装着防止手段が設けられることを特徴とする請求項４記載の呼吸用ガスの加温加湿器。
【発明の詳細な説明】
【技術分野】
【０００１】
本発明は、人工呼吸器や酸素吸入療法等に用いられる呼吸用ガスを適度の温度、湿度に維持するための加温加湿器に関する。
【背景技術】
【０００２】
所定量の酸素を含んだ呼吸用ガスを患者の気道へ送る人工呼吸器や、酸素吸入療法のための装置が知られている。このような装置においては、患者に乾燥した呼吸用ガスが供給されると、時間の経過とともに患者の喉、鼻腔及び粘膜を乾燥させ、患者に不快感を与えるだけではなく、気道の損傷をもたらすおそれがある。このため、従来から呼吸用ガスに水蒸気を取り込んで適度の温度、湿度に維持するための加温加湿器が用いられてきた。
【０００３】
そして、呼吸用ガスの加温加湿器としては、例えば特許文献１又は特許文献２に開示されているような水を溜めたチャンバ内に呼吸用ガスを通過させ、蒸発した水分で加湿するもの等が知られている。このような加温加湿器においては、ホース等の呼吸回路を介して患者に加温加湿された呼吸用ガスが供給されることから、チャンバから送られる呼吸用ガスが呼吸回路を通過する際に、室内の雰囲気により冷やされ、ホースの内部で結露が生じるおそれがある。この場合には、十分な温度及び湿度の呼吸用ガスを患者に供給することができなくなるだけでなく、結露した水が患者への呼吸用ガスに混入するおそれがある。
【０００４】
そこで、例えば特許文献３及び特許文献４には、チャンバと患者とをつなぐ呼吸管（呼吸用チューブ）内に沿ってヒータ（加熱用ワイヤ）を螺旋状に取り付け、ヒータにより呼吸用ガスを加熱することにより、管内温度の低下を防止して、結露を防ぐことが提案されている。
また、特許文献５では、呼吸管の側面に温風流路を形成しており、温風により呼吸管内の呼吸用ガスを加温することが提案されている。
【先行技術文献】
【特許文献】
【０００５】
【特許文献１】特表２０１１‐５１２８８９号公報
【特許文献２】特表２０１２‐１８５８２５号公報
【特許文献３】特開平６‐２３０５１号公報
【特許文献４】特許第３７５４２８２号公報
【特許文献５】特開２００３‐２５０８９４号公報
【発明の概要】
【発明が解決しようとする課題】
【０００６】
ところが、特許文献３及び特許文献４に記載されているように、呼吸管をヒータにより加熱する構成では、電気接続されるヒータが患者近くにまで配置されることとなり危険である。また、呼吸管に沿って設けられるヒータの螺旋のピッチが大きいと呼吸用ガスがヒータと接触する部分と接触しない部分とが生じて呼吸用ガスに温度ムラが発生するおそれがあり、結露が生じ易くなることが問題である。さらに、ヒータにより呼吸用ガスを直接加熱する構成では、衛生面に懸念がある。
【０００７】
一方、特許文献５に記載される呼吸回路においては、呼吸用ガスと温風とが流れる配管が別々に設けられていることから、呼吸用ガスの汚染を防ぐことができる。
しかし、呼吸回路の最も外側に設けられる温風流路は外部からの温度変化の影響を受け易く、加温及び加湿状態の呼吸用ガスの患者へ供給が不安定となる。このため、十分に加温及び加湿された呼吸用ガスをより安定させた状態で患者に供給することが望まれている。
【０００８】
本発明は、このような事情に鑑みてなされたもので、外部からの温度変化に対して影響を受けにくく、結露を生じさせることなく十分な加温及び加湿がなされた呼吸用ガスを安定して患者に供給することが可能な呼吸用ガスの加温加湿器を提供することを目的とする。
【課題を解決するための手段】
【０００９】
本発明は、水を溜めたチャンバ内に呼吸用ガスを流通させて加温加湿する呼吸用ガスの加温加湿器であって、前記チャンバと患者に装着される患者インターフェースとの間を接続するインターフェース接続ホースを備え、前記インターフェース接続ホースは、加温加湿後の前記呼吸用ガスを前記チャンバから前記患者インターフェースに送る吸気ホースと、前記吸気ホースの周囲を囲った状態に設けられヒータで加熱された保温用空気を通過させることで前記吸気ホース内の呼吸用ガスを保温する保温流路とを有し、前記保温流路は、前記吸気ホースに接して設けられる内側流路と、前記内側流路の外側に設けられる外側流路とを有し、前記内側流路と前記外側流路とは、前記保温流路の一端部において連通して設けられ、前記保温流路の他端部には、前記内側流路に前記保温用空気を導入する導入口と、前記外側流路から前記保温用空気を導出する導出口とが設けられていることを特徴とする。
【００１０】
吸気ホースと保温流路とは互いに独立しており、保温流路にヒータで加熱した保温用空気を流すことで、吸気ホースの側面を通じて呼吸用ガスと保温用空気との間で熱伝達を行うことができ、吸気ホース内の呼吸用ガスを保温することができる。
また、保温流路は内側流路と外側流路とによる二重構造とされ、その内側に配置される内側流路によって吸気ホースの側面を保温することができ、外側に配置される外側流路によって内側流路を保温することができる。ヒータで加熱された保温用空気は、内側流路に導入され、次いで内側流路から外側流路へ流れる構成とされており、この内側流路から外側流路に流れる保温用空気は、流路内を通過する際に隣接する吸気ホース、内側流路、外側流路、外部との間で熱交換されることにより徐々に冷やされるが、内側流路と外部との間に外側流路を介在させることで内側流路が外部の温度変化の影響を受け難くなっている。このため、チャンバから送られる十分に加温加湿がなされた状態の呼吸用ガスを、内側流路を流れる保温用空気によって安定した状態で保温することができる。したがって、吸気ホース内に結露を生じさせることなく、チャンバから送られる加温加湿状態の呼吸用ガスを安定して患者に供給することができる。
また、保温用空気の導入口と導出口は保温流路の他端部側にまとめて設けられており、保温用空気の供給ホース等の取り回しを容易に行うことができる。
【００１１】
本発明の呼吸用ガスの加温加湿器において、前記導入口及び前記導出口は、前記インターフェース接続ホースの前記チャンバ側に設けられる。
保温用空気の導入口と導出口を、インターフェース接続ホースのチャンバ側に設けることで、これら導入口及び導出口に接続される保温用空気の供給ホース等が患者と接触することを避けることができ、患者への負担を軽減させることができる。
【００１２】
本発明の呼吸用ガスの加温加湿器において、前記ヒータにより前記保温用空気を加熱するヒータユニットと、前記保温用空気を前記保温流路と前記ヒータユニットとの間で循環させるコンプレッサとが備えられる。
通常、チャンバから吸気ホースに送られる呼吸用ガスを保温するために保温流路内に導入される保温用空気は、外部温度よりも高い温度に設定される。そして、保温流路を通過した後の保温用空気も完全に外部温度まで冷やされることなく導出される。このため、この導出された保温用空気をヒータユニットで加熱することにより、容易に所望の温度まで温めることができる。このように、保温用空気を循環させて用いることで、保温用空気の加熱を円滑に行うことが可能となる。
なお、保温用空気を循環させる構成としても、吸気ホースと保温流路とは互いに独立して設けられていることから、保温用空気と呼吸用ガスとは接触することがなく、呼吸用ガスが汚染されることがない。
【００１３】
本発明の呼吸用ガスの加温加湿器において、前記ヒータユニットから前記保温流路に前記保温用空気を供給する供給ホースと、前記保温流路から前記コンプレッサを介して前記ヒータユニットに前記保温用空気を供給する循環ホースと、前記供給ホース及び前記循環ホースが接続され前記保温流路の他端部に着脱可能に設けられるアタッチメントとが備えられる。
衛生面の観点から吸気ホースは定期的に洗浄や交換をする必要があるが、保温流路は吸気ホースとは独立に設けられ保温用空気は呼吸用ガスと接触しない構成とされていることから、保温流路とヒータユニットとの接続に必要な供給ホースや循環ホースについては頻繁に交換する必要がない。そこで、これらの供給ホース及び循環ホースを１つのアタッチメントに接続して保温流路と着脱可能に設けることで、アタッチメントを介して保温流路との接続を容易に行うことができる。
【００１４】
本発明の呼吸用ガスの加温加湿器において、前記導入口と前記導出口とは、前記保温流路の側面に互いに平行に立設されるとともに、前記導入口又は前記導出口には、前記アタッチメントとの着脱方向を制限する誤装着防止手段が設けられているとよい。
導入口と導出口とを平行に設けて一方向に立設させているので、アタッチメントとの接続を容易に行うことができる。また、アタッチメントは、導入口と導出口に対して一定の方向から挿入しない限り保温流路に装着することができないように装着方向を制限する誤装着防止手段が設けられる。このため、ヒータユニットから送られる保温用空気を確実に内側流路に導入することができ、十分に加温加湿がなされた呼吸用ガスを安定して患者に供給することができる。
【発明の効果】
【００１５】
本発明によれば、吸気ホースの周囲を囲う二重構造の保温流路を設けたので、吸気ホースを保温する内側流路が外部からの温度変化に対して影響を受けにくく、吸気ホース内に結露を生じることを防止することができる。したがって、十分な加温及び加湿がなされた呼吸用ガスを安定して患者に供給することができる。
【図面の簡単な説明】
【００１６】
【図１】本発明の呼吸用ガスの加温加湿器の一実施形態を示す全体斜視図である。
【図２】図１に示す加温加湿器のインターフェース接続ホースを説明する概略構成図である。
【図３】図２におけるＡ‐Ａ線に沿うインターフェース接続ホースの断面図であり、アタッチメントを取り外した状態を示す。
【図４】インターフェース接続ホースのチャンバ側接続パイプ部分の斜視図である。
【図５】図４におけるＢ矢視図である。
【図６】図４におけるＣ矢視図である。
【図７】図５におけるＤ‐Ｄ線に沿うインターフェース接続ホースの断面図である。
【図８】図６におけるＥ‐Ｅ線に沿うインターフェース接続ホースの断面図である。
【図９】チャンバ側接続パイプの取り付けを説明する斜視図である。
【図１０】チャンバ側接続パイプとアタッチメントとの着脱を説明する斜視図である。
【発明を実施するための形態】
【００１７】
以下、本発明の一実施形態に係る呼吸用ガスの加温加湿器について、図面を参照しながら説明する。
図１に示す本実施形態の呼吸用ガスの加温加湿器１００は、例えば、自発呼吸を補助して呼吸障害を治療するためのＣＰＡＰ装置等に接続されて用いられる。ＣＰＡＰ装置は、持続気道陽圧（ＣＰＡＰ：ｃｏｎｔｉｎｕｏｕｓ  ｐｏｓｉｔｉｖｅ  ａｉｒｗａｙ  ｐｒｅｓｓｕｒｅ）と呼ばれる方式の補助換気法を用いて患者に治療を施す装置であり、ネーザルプロング、気管挿管チューブ、鼻マスク等の患者インターフェースを介して所定量の酸素と空気との混合ガスからなる呼吸用ガスを患者に供給する。そして、加温加湿器１００は、患者に供給される呼吸用ガスを適度の温度及び湿度に維持するために設けられており、ＣＰＡＰ装置から送られる呼吸用ガスは加温加湿器１００で加温加湿され、患者に供給されるようになっている。
【００１８】
加温加湿器１００は、図１に示すように、制御部等が内蔵された本体１と、本体１と一体に設けられた基台２と、基台２に着脱可能に設けられたチャンバ３とを備え、水を溜めたチャンバ３の内部空間に呼吸用ガスを通過させることにより、呼吸用ガスを加温加湿できるようになっている。また、チャンバ３には、呼吸用ガスを送り込む供給用ホース４と、加温加湿後の呼吸用ガスをチャンバ３から患者に装着される患者インターフェース８に送り出すインターフェース接続ホース５と、チャンバ３内に水を供給する給水部６とが接続され、加温加湿器１００の運転時にチャンバ３の水位に応じて、給水部６から水が供給されるようになっている。
なお、加温加湿器１００は、図１に示すように、キャスタ７１により移動自在な架台７上に載置されており、架台７とともに全体を移動可能になっている。また、加温加湿器１００には、供給用ホース４を介してチャンバ３内に呼吸用ガスを送り込むためのガス供給機９（例えば、ＣＰＡＰ装置）が接続されている。
【００１９】
インターフェース接続ホース５は、図２及び図７に示すように、チャンバ３と患者インターフェース８との間を接続して、患者にチャンバ３内で加温加湿された状態の呼吸用ガスを供給するものであり、図３に示すように、加温加湿後の呼吸用ガスをチャンバ３から患者インターフェース８に送る吸気ホース２１と、吸気ホース２１の周囲を囲った状態に設けられ保温用空気を通過させることにより吸気ホース２１内の呼吸用ガスを保温する保温流路３１とを有する。
【００２０】
このインターフェース接続ホース５の両端部には、チャンバ３から送り出された直後の呼吸用ガスの温度を検出する温度センサ８１Ａと、インターフェース接続ホース５から患者インターフェース８への供給直前の呼吸用ガスの温度を検出する温度センサ８１Ｂとが設けられている。
また、保温流路３１には、図２に示すように、ヒータにより保温用空気を加熱するヒータユニット８２と、保温用空気を保温流路３１とヒータユニット８２との間で循環させるコンプレッサ８３とが接続されている。
ヒータユニット８２は、カートリッジヒータ及びサーミスタを内蔵し、温度センサ８１Ａ，８１Ｂの検出結果に基づいてカートリッジヒータの発熱温度を制御するようになっており、保温流路３１に供給される保温用空気は、インターフェース接続ホース５の両端部における温度の検出結果に基づいて温度が調整される。
【００２１】
また、保温流路３１は、図３及び図７に示すように、吸気ホース２１に接して設けられる内側流路３２と、その内側流路３２の外側に設けられる外側流路３３とを有する構成とされる。
内側流路３２と外側流路３３とは、保温流路３１の患者インターフェース８側において連通して設けられ、保温流路３１のチャンバ３側に、内側流路３２に保温用空気を導入する導入口３４と、外側流路３３から保温用空気を導出する導出口３５とが設けられ、これら導入口３４及び導出口３５を介してヒータユニット８２及びコンプレッサ８３と接続される。そして、ヒータユニット８２で加熱された保温用空気は、内側流路３２に導入された後、内側流路３２から外側流路３３へ流れ、外側流路３３からヒータユニット８２に送られることにより、保温用空気が保温流路３１とヒータユニット８２との間で循環されるようになっている。
【００２２】
また、導入口３４及び導出口３５は、図２及び図３に示すように、アタッチメント４１を介してヒータユニット８２とコンプレッサ８３と接続され、アタッチメント４１に、ヒータユニット８２から内側流路３２に保温用空気を供給する供給ホース４２と、外側流路３３からコンプレッサ８３を介してヒータユニット８２に保温用空気を供給する循環ホース４３とが接続される。そして、アタッチメント４１の着脱を行うことで、保温流路３１とヒータユニット８２との着脱が行えるようになっている。
【００２３】
次に、インターフェース接続ホース５の構成を詳述する。
インターフェース接続ホース５は、図３及び図７に示すように、円筒状のチューブが同心円状に二重に区画された内筒チューブ５１と、内筒チューブ５１の外側に配置された円筒状の外筒チューブ５２とを組み合わせた構成とされ、吸気ホース２１と保温流路３１を構成する内側流路３２及び外側流路３３は、内側から外側にかけて順に同心円状に配置される。そして、内筒チューブ５１と外筒チューブ５２とは、図２に示すように、両端部に被着された患者側接続パイプ６１及びチャンバ側接続パイプ６５によって一体として用いられるようになっている。
【００２４】
内筒チューブ５１は、図３に示すように、円筒状のチューブが二重の同心円状に形成されており、中央のチューブが吸気ホース２１を構成する。また、吸気ホース２１の外側を囲むチューブは、周方向に等間隔に配置され長さ方向に沿って設けられた仕切り壁５３によって吸気ホース２１の側面と接続されており、吸気ホース２１との間に４つに区画された扇状の内側流路３２を構成している。このように、内筒チューブ５１によって、吸気ホース２１と内側流路３２とが一体に設けられている。
また、外筒チューブ５２は、内筒チューブ５１よりも口径の大きな円筒状のチューブにより形成され、その内面に４つの凸条部５４が長さ方向に沿って周方向に等間隔に設けられている。この外筒チューブ５２の内部に内筒チューブ５１を挿入することで、凸条部５４の先端が内筒チューブ５１の側面と接触した状態に保持される。そして、内筒チューブ５１と外筒チューブ５２とが同心円状に配置されることにより、内側流路３２の外側に、４つに区画された扇状の外側流路３３が形成される。
【００２５】
また、内筒チューブ５１及び外筒チューブ５２の患者インターフェース８側の端部に被着される患者側接続パイプ６１は、図７に示すように、内筒チューブ５１及び外筒チューブ５２の端部を挿し込むことにより接続される挿入筒部６２が設けられる。そして、挿入筒部６２の中央部に、吸気ホース２１内に挿入され、吸気ホース２１と連通して呼吸用ガスを患者インターフェース８に送る連通筒部６３が設けられている。また、患者側接続パイプ６１には、内側流路３２と外側流路３３の端部に開口する環状の接続路３６が設けられており、保温用空気を、接続路３６を介して内側流路３２と外側流路３３との間で流通させることができるようになっている。また、この患者側接続パイプ６１に、前述の温度センサ８１Ｂが取り付けられており、患者インターフェース８への導入直前の呼吸用ガスの温度を検出できるようになっている。
【００２６】
また、内筒チューブ５１及び外筒チューブ５２のチャンバ３側の端部は、図７に示すように、内筒チューブ５１の端部が、外筒チューブ５２の端面から突出して設けられており、チャンバ側接続パイプ６５には、外筒チューブ５２の端部が挿し込まれる外側挿入筒部６６と、内筒チューブ５１の端部が挿し込まれる内側挿入筒部６７とが設けられている。そして、これら挿入筒部６６，６７の中央部に吸気ホース２１内に挿入され、吸気ホース２１と連通して設けられる連通筒部６８が設けられている。また、チャンバ側接続パイプ６５には、内側流路３２の端部に開口する環状の内側接続路３７が設けられるとともに、外側流路３３の端部に開口する環状の外側接続路３８が設けられている。そして、この内側接続路３７に、ヒータユニット８２から内側流路３２に保温用空気を導入する円筒状の導入口３４が立設されるとともに、外側接続路３８に、保温流路３１内を流れてきた保温用空気を外側流路３３から導出する円筒状の導出口３５が立設され、これら導入口３４と導出口３５とは、図３に示すように、互いに平行に設けられている。また、チャンバ側接続パイプ６５の両側部には、アタッチメント４１を着脱可能に保持する一対のフック部６９が設けられ、アタッチメント４１を介して保温流路３１とヒータユニット８２との着脱が行えるようになっている。
【００２７】
フック部６９は、導入口３４及び導出口３５の立設方向に伸びる帯板状に設けられ、その帯板部６９ａの基端部がチャンバ側接続パイプ６５の外周面に接続されており、チャンバ側接続パイプ６５の軸方向と直交する方向に弾性変形可能に設けられている。そして、この帯板部６９ａの先端部に、鉤型の爪部６９ｂが外方に突出して設けられ、アタッチメント４１を着脱可能に保持する。
なお、導入口３４及び導出口３５の口径は、ほぼ同径に設けられているが、導入口３４には、アタッチメント４１との着脱方向を制限する誤装着防止手段として、図９及び図１０に示すように、外周面にリブ部６４が設けられている。
また、前述の温度センサ８１Ａは、チャンバ側接続パイプ６５に取り付けられており、チャンバ３から吸気ホース２１内に導入される呼吸用ガスの温度を検出できるようになっている。
【００２８】
アタッチメント４１には、図７及び図８に示すように、導入口３４及び導出口３５に接続される挿入口４４，４５が設けられるとともに、アタッチメント４１を装着する際に、導入口３４と導出口３５の円筒外周面に係合するガイド孔４１ａ，４１ｂが設けられている。そして、挿入口４４，４５に、ヒータユニット８２及びコンプレッサ８３と接続される供給ホース４２及び循環ホース４３が接続される。また、アタッチメント４１には、チャンバ側接続パイプ６５のフック部６９と係脱可能な係止孔４６が設けられており、前述したように、アタッチメント４１を介して保温流路３１とヒータユニット８２との着脱が行えるようになっている。
なお、図示は省略するが、導入口３４に係合するガイド孔４１ａには、導入口３４の円筒外周面に形成されたリブ部６４を挿入可能な切欠部が設けられており、アタッチメント４１のチャンバ側接続パイプ６５への装着時においては、アタッチメント４１のリブ部６４と切欠部との位置を一致させた状態でなければ、アタッチメント４１を装着することができないようになっている。
【００２９】
アタッチメント４１の着脱は、係止孔４６とフック部６９との係脱により行われるが、アタッチメント４１をチャンバ側接続パイプ６５に装着する際には、図３及び図１０に示すように、アタッチメント４１を、導入口３４及び導出口３５及びフック部６９の立設方向に沿って下方に移動させる。
この際、まずアタッチメント４１の係止孔４６の下端が、フック部６９の先端の爪部６９ｂと接触するとともに、アタッチメント４１のガイド孔４１ａ，４１ｂの下端が導入口３４及び導出口３５の先端と接触する。そして、ガイド孔４１ａ，４１ｂ内に導入口３４及び導出口３５の先端が挿入されることにより、アタッチメント４１の下方への移動が案内される。また、フック部６９の爪部６９ｂの表面が円弧状に形成されていることから、アタッチメント４１の移動とともに、爪部６９ｂの円弧面に沿ってフック部６９が内方に押されて移動する。これにより、爪部６９ｂは係止孔４６内に挿し込まれ、フック部６９によってもアタッチメント４１の移動が案内されるようになっている。
【００３０】
そして、アタッチメント４１をチャンバ側接続パイプ６５に向けてさらに押し下げると、図７及び図８に示すように、挿入口４４，４５の下端が導入口３４及び導出口３５の先端に挿し込まれる。この際、フック部６９の爪部６９ｂが係止孔４６から抜け出され、係止孔４６による押込み方向の付勢がなくなることから、爪部６９ｂが外方へと移動する。これにより、係止孔４６の上端と爪部６９ｂとが係止され、挿入口４４，４５と導入口３４及び導出口３５とが接続された状態で、アタッチメント４１をチャンバ側接続パイプ６５に装着することができる。そして、この状態では、フック部６９の帯板部６９ａが係止孔４６の側面に当接して外方に向けて付勢されるとともに、フック部６９の爪部６９ｂが係止孔４６の上端により係止され、高さ方向への移動が制限されることから、アタッチメント４１とチャンバ側接続パイプ６５との装着状態が維持される。
なお、挿入口４４，４５と導入口３４、導出口３５との間には、図７及び図８に示すようにシール材４７が設けられており、これらの間の隙間を封止することができるとともに、フック部６９と係止孔４６との間のガタつきを吸収することができる。
【００３１】
一方、アタッチメント４１をチャンバ側接続パイプ６５から脱離する際には、フック部６９の基端部を互いに向かい合う方向に押し込み、フック部６９の先端部どうしを近づけるように移動させる。これにより、係止孔４６と爪部６９ｂとの係止を解除することができ、アタッチメント４１を、チャンバ側接続パイプ６５の導入口３４及び導出口３５の立設方向に移動して容易に取り外すことができる。
【００３２】
このように構成されたインターフェース接続ホース５においては、保温流路３１に保温用空気を流すことで、吸気ホース２１の側面を通じて呼吸用ガスと保温用空気との間で熱伝達が行われ、吸気ホース２１内の呼吸用ガスを保温することができる。保温流路３１は、内側流路３２と外側流路３３とが同心円状に設けられた二重構造とされ、その内側に配置される内側流路３２によって吸気ホース２１の側面を保温することができるとともに、外側に配置される外側流路３３によって内側流路３２を保温することができる。
また、内側流路３２から外側流路３３に流れる保温用空気は、流路内を通過する際に隣接する吸気ホース２１、内側流路３２、外側流路３３、外部との間で熱交換されることにより徐々に冷やされるが、内側流路３２と外部との間に外側流路３３を介在させることで内側流路３２が外部の温度変化の影響を受け難くなっている。このため、チャンバ３から送られる十分に加温加湿がなされた状態の呼吸用ガスを、内側流路３２を流れる保温用空気によって安定した状態で保温することができる。
したがって、吸気ホース２１内に結露を生じさせることなく、チャンバ３から送られる加温加湿状態の呼吸用ガスを安定して患者に供給することができる。
【００３３】
また、保温用空気の導入口３４と導出口３５は、インターフェース接続ホース５のチャンバ３側にまとめて設けられており、保温用空気の供給ホース４２等の取り回しを容易に行うことができるとともに、これら導入口３４及び導出口３５に接続される保温用空気の供給ホース４２等が患者と接触することを避けることができ、患者への負担を軽減させることができる。
【００３４】
また、保温流路３１内に流通させる保温用空気を、ヒータユニット８２との間で循環させて用いることで、保温用空気の加熱を円滑に行うことが可能となっている。
さらに、保温用空気を循環させる構成としても、吸気ホース２１と保温流路３１とは互いに独立して設けられていることから、保温用空気と呼吸用ガスとは接触することがなく、呼吸用ガスが汚染されることがない。
また、衛生面の観点から吸気ホース２１は定期的に洗浄や交換をする必要があるが、保温流路３１は吸気ホース２１とは独立に設けられ、保温用空気は呼吸用ガスと接触しない構成とされていることから、保温流路３１とヒータユニット８２との接続に必要な供給ホース４２や循環ホース４３については頻繁に交換する必要がない。このため、本実施形態においては、供給ホース４２及び循環ホース４３を１つのアタッチメント４１に接続して保温流路３１と着脱可能に設けることとしており、アタッチメント４１を介して保温流路３１との接続を容易に行うことができる。
【００３５】
なお、本発明は上記実施形態に限定されるものではなく、本発明の趣旨を逸脱しない範囲において種々の変更を加えることが可能である。
【符号の説明】
【００３６】
１  本体
２  基台
３  チャンバ
４  供給用ホース
５  インターフェース接続ホース
６  給水部
７  架台
８  患者インターフェース
９  ガス供給機
２１  吸気ホース
３１  保温流路
３２  内側流路
３３  外側流路
３４  導入口
３５  導出口
４１  アタッチメント
４１ａ，４１ｂ  ガイド孔
４２  供給ホース
４３  循環ホース
４４，４５  挿入口
４６  係止孔
４７  シール材
５１  内筒チューブ
５２  外筒チューブ
５３  仕切り壁
５４  凸条部
６１  患者側接続パイプ
６２  挿入筒部
６３  連通筒部
６４  リブ部
６５  チャンバ側接続パイプ
６６  外側挿入筒部
６７  内側挿入筒部
６８  連通筒部
６９  フック部
６９ａ  帯板部
６９ｂ  爪部
７１  キャスタ
８１Ａ，８１Ｂ  温度センサ
８２  ヒータユニット
８３  コンプレッサ
１００  呼吸用ガスの加温加湿器
【図１】
2014210048.tif 000003
【図２】
2014210048.tif 000004
【図３】
2014210048.tif 000005
【図４】
2014210048.tif 000006
【図５】
2014210048.tif 000007
【図６】
2014210048.tif 000008
【図７】
2014210048.tif 000009
【図８】
2014210048.tif 000010
【図９】
2014210048.tif 000011
【図１０】
2014210048.tif 000012